(57)【特許請求の範囲】
【請求項１】
フード１と、電動モータ１１のモータ軸１１ａにファン１２を取付けた送風機１０と、複数の運転釦を有し、いずれか１つの運転釦を操作することで運転信号を出力するスイッチ２０と、このスイッチ２０が出力する運転信号に対応して前記電動モータ１１を駆動制御していずれか１つの運転状態とするモータ制御装置３０を備え、
前記電動モータ１１でファン１２を回転することで、前記フード１内の空気を排出するようにしたレンジフードであって、
前記モータ制御装置３０は、前回運転信号が入力されてから新たに運転信号が入力されるまでの経過時間を測定する測定手段３７と、この測定した経過時間が設定した一定時間よりも小さいときの一定時間と測定した経過時間の差を算出する比較演算部３９を有し、
前記モータ制御装置３０は、現在入力されている運転信号よりも１段速い方の運転信号が入力されたときに、前記測定手段３７が測定した経過時間が一定時間より大きいときは、前記電動モータ１１を、直ちに新たに入力された運転信号に対応した回転速度で駆動し、前記測定手段３７が測定した経過時間が一定時間よりも小さいときは、前記比較演算部３９で算出した前記一定時間と経過時間の差に相当する時間だけ電動モータ１１を現在入力されている運転信号に対応した回転速度で継続して駆動し、前記差に相当する時間経過後に前記電動モータ１１を、新たに入力された運転信号に対応した回転速度で駆動するようにしたことを特徴とするレンジフードの運転制御装置。
【発明の詳細な説明】
【技術分野】
【０００１】
本発明は、レンジフードのファンの回転を制御してレンジフードを強運転、中運転、弱運転等とするレンジフードの運転制御装置に関する。
【背景技術】
【０００２】
レンジフードとしては、フード内に送風機を設け、その送風機を駆動することで、調理時に発生した油煙などをフード内に捕集し、屋外に排出するものが一般的である。
このようなレンジフードにおいては、送風機を電動モータでファンを回転するものとし、そのファンの回転を制御することでレンジフードの運転を制御することが一般的に知られている。
例えば、特許文献１に開示したように、フードの前面にスイッチを取付ける。このスイッチは、複数の運転釦、例えば強釦、中釦、弱釦、切釦を備え、その強釦を押すことで電動モータが高速度段で駆動し、ファンが高速回転してレンジフードは強運転となる。
同様に、中釦、弱釦を押すことで電動モータが中速度段で駆動、低速度段で駆動し、ファンが中速回転、低速回転してレンジフードは中運転、弱運転となる。
前記切釦を押すことで電動モータが停止し、ファンも停止してレンジフードは運転停止となる。
【先行技術文献】
【特許文献】
【０００３】
【特許文献１】特開平１０−１３２３５１号公報
【発明の概要】
【発明が解決しようとする課題】
【０００４】
前述した従来のレンジフードに用いる送風機は、電動モータのモータ軸にファンを取付け、そのモータ軸とともにファンを回転するものである。
このために、電動モータのモータ軸の回転が急激に速くなると、ファンやモータ軸に異常なねじれトルクが発生し、ファンやモータ軸を損傷する恐れがある。
【０００５】
例えば、前述のスイッチの弱釦を押した後に、直ちに中釦を押した場合には、電動モータが低速度段に対応した低速回転となる以前の状態、つまり電動モータが前述の低速回転よりも遅い回転状態から中速度段に対応した中速回転となるので、電動モータが低速回転状態から中速回転となる場合に比べて、電動モータの回転変化が急となるから、電動モータのモータ軸の回転が急激に速くなる。
つまり、電動モータが操作した釦と見合う速度段に対応した回転速度で回転する定常状態となる以前に、その釦よりも速い方の釦を押した場合には、電動モータのモータ軸の回転が急激に速くなる。
【０００６】
本発明の目的は、電動モータの実運転状態が現在入力されている運転信号に対応した運転状態に達する前に運転信号の新たな入力があったとしても、電動モータの回転数が急激に速くなることがなく、ファンやモータ軸に異常なねじれトルクが発生して損傷することがないようにしたレンジフードの運転制御装置とすることである。
【課題を解決するための手段】
【０００７】
本発明は、フード１と、電動モータ１１のモータ軸１１ａにファン１２を取付けた送風機１０と、複数の運転釦を有し、いずれか１つの運転釦を操作することで運転信号を出力するスイッチ２０と、このスイッチ２０が出力する運転信号に対応して前記電動モータ１１を駆動制御していずれか１つの運転状態とするモータ制御装置３０を備え、
前記電動モータ１１でファン１２を回転することで、前記フード１内の空気を排出するようにしたレンジフードであって、
前記モータ制御装置３０は、前回運転信号が入力されてから新たに運転信号が入力されるまでの経過時間を測定する測定手段３７と、この測定した経過時間が設定した一定時間よりも小さいときの一定時間と測定した経過時間の差を算出する比較演算部３９を有し、
前記モータ制御装置３０は、現在入力されている運転信号よりも１段速い方の運転信号が入力されたときに、前記測定手段３７が測定した経過時間が一定時間より大きいときは、前記電動モータ１１を、直ちに新たに入力された運転信号に対応した回転速度で駆動し、前記測定手段３７が測定した経過時間が一定時間よりも小さいときは、前記比較演算部３９で算出した前記一定時間と経過時間の差に相当する時間だけ電動モータ１１を現在入力されている運転信号に対応した回転速度で継続して駆動し、前記差に相当する時間経過後に前記電動モータ１１を、新たに入力された運転信号に対応した回転速度で駆動するようにしたことを特徴とするレンジフードの運転制御装置である。
【発明の効果】
【０００８】
本発明によれば、スイッチ２０の１つの運転釦を操作してから、直ちに１段速い方の運転釦を操作した場合に、電動モータ１１が現在入力されている運転信号に対応した回転速度になってから新たに入力された運転信号に対応した回転速度になるので、電動モータ１１のモータ軸１１ａの回転が急激に速くならないから、ファン１２やモータ軸１１ａに異常なねじれトルクが発生して損傷することがない。
しかも、経過時間が設定した一定時間よりも大きい場合には、直ちに電動モータ１１を、新たに入力された運転信号に対応した回転速度で駆動するので、電動モータ１１の無駄な継続駆動をせずに目標の回転数に切り替えできる。
【図面の簡単な説明】
【０００９】
【図１】本発明の実施の形態を示すレンジフードの全体一部破断側面図である。
【図２】電動モータの制御装置の概略説明図である。
【図３】本発明のモータ制御装置の実施の形態を示す説明図である。
【発明を実施するための形態】
【００１０】
図１に示すように、本発明のレンジフードは、フード１と送風機１０とスイッチ２０を備え、そのスイッチ２０を操作して送風機１０を駆動することで、調理時に発生した油煙などを空気とともにフード１内に捕集して屋外に排出する。
前記送風機１０は、電動モータ１１のモータ軸１１ａにファン１２を取付け、その電動モータ１１を駆動することでモータ軸１１ａとともにファン１２を回転し、レンジフードを運転する。
前記スイッチ２０は、図２に示すように、レンジフードの運転状態を選択する複数の運転釦、例えば弱釦２１、中釦２２、強釦２３、切釦２４を備え、いずれか１つの運転釦を操作することで運転信号がモータ制御装置３０に入力される。
【００１１】
前記モータ制御装置３０は、入力された運転信号に応じて電動モータ１１を駆動制御し、レンジフードをいずれか１つの運転状態とする。
例えば、弱釦２１を操作して弱運転信号がモータ制御装置３０に入力されたときには、電動モータ１１を低速度段に対応した低速度で回転し、ファン１２を低速回転してレンジフードを弱運転とする。
同様に、弱釦２１よりも１段速い方の中釦２２、中釦２２よりも１段速い方の強釦２３を操作して弱運転信号よりも１段速い中運転信号、中運転信号よりも１段速い強運転信号がモータ制御装置３０に入力されたときには、電動モータ１１を中速度段、高速度段に対応した中速度、高速度で回転してファン１２を中速回転、高速回転してレンジフードを中運転、強運転とする。
前記切釦２４を操作したときには停止信号がモータ制御装置３０に入力されて電動モータ１１を停止し、ファン１２を停止してレンジフードを運転停止する。
【００１２】
前述の図２に示すスイッチ２０は、照明釦２５を有し、その照明釦２５を操作すると図示しないランプが点燈するようにしてある。
前述のスイッチ２０は、押釦タイプに限ることはなく、タッチタイプなどでも良いし、リモコンスイッチとすることができる。
【００１３】
図１に示すレンジフードを詳細に説明する。
フード１は、上面板２と周面板３で下面が開口した箱形状で、そのフード１内にフィルター４と整流板５が設けてある。
前記送風機１０は、ケーシング１３内にファン１２を設け、そのケーシング１３に設けた電動モータ１１のモータ軸１１ａにファン１２を取付けてある。
この送風機１０はフード１内に設けてあり、ファン１２を回転することで吸込口１４から空気を吸い込み、排出ダクト１５に吐出する。
前記スイッチ２０は周面板３の前面３ａに取付けてある。
本発明の運転制御装置は、前述した図１に示すレンジフードに限ることはなく、従来から知られている各種のレンジフードに適用できることは勿論である。
【００１４】
前記モータ制御装置３０は、図３に示すように、スイッチ２０から各種運転信号が入力される制御部３１と、この制御部３１から速度段制御信号が入力されるインターフェース部３２を有している。
前記制御部３１は、入力された運転信号に対して各種制御を行い、速度段制御信号（速調制御信号）をインターフェース部３２に出力する。
前記インターフェース部３２は、入力された速度段制御信号と対応した速度段となるように速度段指令（変調指令）を出力し、電動モータ１１に、所定の速度段に対応した回転速度で駆動するように駆動電流を流し、電動モータ１１を所定の速度段に対応した回転速度で駆動する。
本発明のモータ制御装置３０は前述のものに限ることはなく、後述した動作を行うものであれば良い。
【００１５】
前記モータ制御装置３０（制御部３１）は、図３に示すように、運転信号の入力時間間隔を測定する運転信号切り替え時間の測定手段３７と、一定時間の設定部３８と、前記測定手段３７で測定した切り替え時間と一定時間の差分を算出する比較演算部３９を有している。
【００１６】
前記モータ制御装置３０は次の動作をする。
前記スイッチ２０の１つの運転釦から運転信号が入力され、その運転信号に対応した回転速度で電動モータ１１を駆動してレンジフードを運転している状態で、スイッチ２０の現在操作されている運転釦よりも１段速い方の運転釦を新たに操作して現在入力されている運転信号を１段速い方の運転信号に切り替えたとき（つまり、スイッチ２０の運転釦を切り替えたとき）に、前述の測定手段３７で前回の運転釦を操作したとき（現在の運転信号が入力されたとき）から今回の運転釦を操作したとき（新たな運転信号が入力されたとき）までの経過時間、つまり運転信号の切り替え時間を測定する。
【００１７】
前述の経過時間が設定部３８に設定した一定時間よりも大きいかを比較演算部３９で判断し、一定時間よりも経過時間が小さい場合には、一定時間と経過時間の差（時間）を算出する。
前記算出した差に相当する時間だけ現在入力されている運転信号に対応した回転速度で電動モータ１１を継続して駆動する。
前述の時間差分だけ時間経過した後に、新たに入力された運転信号に対応した回転速度で電動モータ１１を駆動する。
前記一定時間は、運転信号が入力されてから電動モータ１１が、その運転信号に対応した回転速度まで増速する時間である。
【００１８】
例えば、スイッチ２０の弱釦２１を操作して制御部３１に弱運転信号を入力している状態で、スイッチ２０の中釦２２を操作して制御部３１に中運転信号を入力したときに、前記弱運転信号が入力してから中運転信号が入力するまでの時間（前述の経過時間）を測定手段２７で測定する。
この測定した経過時間と設定部３８で設定した一定時間を比較演算部３９で比較し、経過時間が一定時間よりも小さい場合には一定時間と経過時間の差を検出する。
そして、制御部３１は前述の算出した差に相当する時間だけ低速度段制御信号を継続して出力し、電動モータ１１を弱運転に見合う低速度段に対応した低速度で継続して駆動する。
前記差に相当する時間が経過した後に、制御部３１は中速度段制御信号をインターフェース部３２に入力し、電動モータ１１を中速度段に対応した中速度で駆動する。
前記スイッチ２０の中釦２２を操作して電動モータ１１を中速度段に対応した中速度で駆動しているときに、強釦２３を操作した場合も前述と同様に制御される。
【００１９】
このようにすることで、スイッチ２０の１つの運転釦を操作してから、直ちに１段速い方の運転釦を操作した場合に、電動モータ１１が現在入力されている運転信号に対応した回転速度になってから新たに入力された運転信号に対応した回転速度になるので、電動モータ１１のモータ軸１１ａの回転が急激に速くならないから、ファン１２やモータ軸１１ａに異常なねじれトルクが発生して損傷することがない。
しかも、経過時間が設定した一定時間よりも大きい場合には、直ちに電動モータ１１を、新たに入力された運転信号に対応した回転速度で駆動するので、電動モータ１１の無駄な継続駆動をせずに目標の回転数に切り替えできる。
【符号の説明】
【００２０】
１…フード、１０…送風機、１１…電動モータ、１１ａ…モータ軸、１２…ファン、２０…スイッチ、２１…弱釦、２２…中釦、２３…強釦、３０…モータ制御装置、３７…測定手段、３９…比較演算部。
【図１】
0005489380.tif 000002
【図２】
0005489380.tif 000003
【図３】
0005489380.tif 000004